【手続補正書】
【提出日】平成27年7月29日(2015.7.29)
【手続補正１】
【補正対象書類名】特許請求の範囲
【補正対象項目名】全文
【補正方法】変更
【補正の内容】
【特許請求の範囲】
【請求項１】
色弁別能力を向上させるための光学素子であって、マトリックス材料に分散されたルミネセンス化合物を含み、人が前記光学素子を通して見ることを可能にするほどに透明であって、
前記ルミネセンス化合物が、吸収波長の光を吸収し、および発光波長の光を発光し、
ヒト錐体光色素には前記吸収波長より前記発光波長に対する実質的に高い感受性があり、
前記光学素子が、可視光に対し９０％より高い透明度を有し、ならびに、
前記光学素子が、人が前記光学素子を通してそれらの色を含有する画像または物体を見ることに前記よってそれらの色をより良好に弁別できるように構成され、
前記光学素子が、前記光学素子を通して物体または画像を見たとき、第１の色座標セットを有する第１の色を、第２の色座標セットを有する第２の色に変換して色の弁別を助けるために、可視光を吸収し、発光前記され、および、
前記第１の色座標セットと前記第２の色座標セット間の距離が、少なくとも約０．０２色座標単位または約０．０４色座標単位である、光学素子。
【請求項２】
実質的に透明なマトリックス材料中にルミネセンス化合物を含有する光学素子を含み、
前記光学素子が、約５４０ｎｍから約５５０ｎｍの可視吸収ピーク波長を有し、
前記ルミネセンス化合物が、
【化１】
2014527645.tif 000001
である、色弁別能力を向上させるためのデバイス。
【請求項３】
第１の可視色波長と第２の可視色波長間の視覚不感受性（ｖｉｓｕａｌ  ｉｎｓｅｎｓｉｔｉｖｉｔｙ）を補正するための光学素子であって、
前記光学素子は、実質的に透明なマトリックス材料、および、前記実質的に透明なマトリックス材料中に分散されたルミネセンス化合物を含み、
前記ルミネセンス化合物は前記第１の可視色波長と実質的に重なる発光波長を有し、
前記ルミネセンス化合物はペリレン誘導体色素を含み、
前記ペリレン誘導体色素は式：
【化２】
2014527645.tif 000002
（式中、
Ｒ１およびＲ１’は、独立して、水素、Ｃ１−Ｃ１０アルキル、Ｃ３−Ｃ１０シクロアルキル、Ｃ２−Ｃ１０アルコキシアルキル、Ｃ６−Ｃ１８アリールまたはＣ６−Ｃ２０アリールアルキルであり；ｍは、１、２、３、４または５であり；およびｎは、１、２、３、４または５である）
によって表される、光学素子。
【請求項４】
光学素子を含む接眼レンズであって、
前記光学素子は、実質的に透明なマトリックス材料中にルミネセンス化合物を含み、
前記光学素子は、前記光学素子を通して使用者が見る物体または画像の色を変更前記され、その色の変更が、使用者によるより良好な色弁別を可能にするものであって、
前記ルミネセンス化合物は、吸収波長の光を吸収し、および、発光波長の光を発光し、
ヒト錐体光色素には前記吸収波長より前記発光波長に対する実質的に高い感受性があり
前記ルミネセンス化合物は、、約３８０ｎｍから約４５０ｎｍ、約４２０ｎｍから約４８０ｎｍ、または、約５００ｎｍから約６００ｎｍの可視吸収の平均波長を有する、接眼レンズ。
【請求項５】
色弁別能力を向上させるためのデバイスであって、
光学素子は、実質的に透明なマトリックス材料中にルミネセンス化合物を含み、
前記光学素子は、Ｍヒト錐体光色素についてのピーク感受性付近の波長領域内の光を吸収し、Ｌヒト錐体光色素についてのピーク感受性付近の波長領域内のより長波長の光を発光し、
前記光学素子は、約５１０ｎｍから約５５０ｎｍの可視吸収の中心波長、可視吸収の平均波長、または、可視吸収ピーク波長を有する、デバイス。
【請求項６】
哺乳動物における視覚不感受性を補正するための方法であって、
請求項１または３に記載の光学素子を、第１の可視色波長と第２の可視色波長間の視覚不感受性を有すると同定された個体に提供することまたは提供するために準備することを含み、
前記光学素子が、前記第１の可視色波長と前記第２の可視色波長間の視覚的不感を補正するように選択されたものである、方法。
【請求項７】
前記第１の色座標セットに最も近い混同色線に垂直な方向の前記第１の色座標セットと前記第２の色座標セット間の距離が、少なくとも約０．０２色座標単位である、請求項１、または３に記載の光学素子。
【請求項８】
Ｍヒト錐体光色素についてのピーク感受性付近の波長領域内の光を吸収し、Ｌヒト錐体光色素についてのピーク感受性付近の波長領域内のより長波長の光を発光する、請求項１、３、または７のいずれかに記載の光学素子。
【請求項９】
コーティングである、請求項１、３、７、または８のいずれかに記載の光学素子。
【請求項１０】
接眼レンズである、請求項１、３、７、８、または９のいずれかに記載の光学素子を備えるデバイス。
【請求項１１】
アイウェア・アイテムである、請求項１、３、７、８、または９のいずれかに記載の光学素子を備えるデバイス。
【請求項１２】
デバイスであって、
電子表示装置と、
請求項１、３、７、８、または９のいずれかに記載の光学素子と
を含み；
前記表示装置から放射された光の少なくとも一部分が、前記光学素子を通過するように、および前記光学素子が、該光学素子を通過する前記表示装置から放射された光の色を変更前記されるデバイス。
【請求項１３】
前記光学素子および前記電子表示装置に連結されたタッチスクリーン要素をさらに含み、前記タッチスクリーン要素が、
第１の導電層、第２の導電層、および前記第１の導電層と前記第２の導電層の間のスペーサを含み、前記第１の導電層および前記第２の導電層が、実質的に透明である
電子デバイスであって、
前記タッチスクリーンへの使用者による接触が、前記第１の導電層を前記第２の導電層に接触させて、それによって前記第１の導電層と前記第２の導電層の間に電流を流すことを可能に前記され；および
前記表示装置から放射される光の少なくとも一部分が、前記タッチスクリーン要素を通過し、かつ前記光学素子を通過前記される、
請求項１２に記載の電子デバイス。
【請求項１４】
請求項１、３、７、８、または９のいずれかに記載の光学素子を調製するための方法であって、
前記光学素子に使用するためのルミネセンス化合物を選択することを含み；
前記光学素子が、第１の色座標セットを有する色を、第２の色座標セットを有する色に可視光の吸収および発光によって変換前記され；
前記ルミネセンス化合物が、前記第１の色座標セットと前記第２の色座標セットの間の距離が少なくとも約０．０２色座標単位または少なくとも約０．０２色座標単位であるように選択される方法。
【請求項１５】
請求項１、３、７、８、または９に記載の光学素子または請求項２，５、または１０〜１３のいずれかに記載のデバイスを、前記光学素子を通して個体が画像または物体を見ることができるような位置に置くことを含む、色弁別能力を向上させる方法。
【請求項１６】
前記個体が、正常色覚を有する、請求項６または１５に記載の方法。
【請求項１７】
前記個体が、色弁別能力障害を有する、請求項６または１５に記載の方法。
【請求項１８】
視覚不感受性を補正するための方法であって、
視覚不感受性を有すると同定された個体における視覚不感受性を補正するための請求項１、３、７、８、または９のいずれかに記載の光学素子または請求項２、５、または１０〜１３のいずれかに記載のデバイスを選択することを含み；
前記視覚的不感受性が、第１の可視色波長と第２の可視色波長間の弁別に関する不感受性を含む方法。
【請求項１９】
前記マトリックス材料が、ガラス、チオウレタン、ポリカーボネート、ポリアクリレート、１つ以上のヘキサフルオロアセトン−テトラフルオロエチレン−エチレンターポリマー（ＨＦＡ／ＴＦＥ／Ｅターポリマー）、ポリメチルメタクリレート（ＰＭＭＡ）、ヒドロゲル、オルガノシロキサン、または、それらの組み合わせを含む、請求項２または５に記載のデバイス、請求項３に記載の光学素子、または、請求項４に記載の接眼レンズ。
【請求項２０】
第２のルミネセンス化合物をさらに含有し、前記第２のルミネセンス化合物が、前記第１の可視色波長の発光を増加させる、前記第２の可視色波長の発光を増加させる、さらに前記第１の色の波長のピーク発光波長を前記第２の色の波長から分離する、または前記ピーク発光波長を増加させもし、さらに分離もする、請求項１、３、７、８、または９のいずれかに記載の光学素子。
【請求項２１】
前記第２のルミネセンス化合物が、Ｎ−フェニル−Ｎ−（４’−（１−フェニル−１Ｈ−ベンゾ［ｄ］イミダゾール−２−イル）−［１，１’−ビフェニル］−４−イル）ナフタレン−１−アミン、または、４，４’−ビス［Ｎ−（ナフチル）−Ｎ−フェニル−アミノ］ビフェニルである、請求項２０に記載の光学素子。
【請求項２２】
前記接眼レンズが眼内レンズ、ハード・コンタクト・レンズ、または、ソフト・コンタクト・レンズである、請求項４に記載の接眼レンズ、請求項１、３、７、８、９、２０、または２１のいずれかに記載の光学素子を含む接眼レンズ、または、請求項１４の方法で形成された接眼レンズ。